【手続補正書】
【提出日】平成24年10月22日(2012.10.22)
【手続補正１】
【補正対象書類名】明細書
【補正対象項目名】００７５
【補正方法】変更
【補正の内容】
【００７５】
本発明の多くの特徴と効果は、詳述された本明細書から明らかであり、このようにして、添付の特許請求の範囲は、本発明の真の精神及び範囲に含まれる発明の上記全ての特徴及び効果を網羅することを目的とする。さらに、当業者は、多くの変更やバリエーションを容易に思いつくことであり、従って、本発明を図示及び記載されたその構成及び動作のみに限定することは望ましくなく、適宜に、本発明の範囲に含まれる適切な全ての変更や均等物が用いられ得る。
本明細書には、少なくとも以下の概念が開示されている。
概念１.
ブロワハウジング内に一対の駆動ロータ及び従動ロータを組み込むこと、従動ギアをギア側の従動ロータシャフトに取り付けること、前記ハウジングに対して前記従動ギアを固定することと、レバーアームをモータ側駆動ロータシャフトに取り付けること、前記ハウジング内で前記従動ロータに前記駆動ロータを接触させることによって規定される各移動限界であるところの第１及び第２の移動限界まで前記レバーアームを移動させるために、交互方向に、前記レバーアームを回動させること、前記２つの移動限界間の前記レバーアームの変位を計測すること、前記計測された移動限界間の中央の変位値に第１基準補償値を加えることにより第１ポジション値を形成すること、前記レバーアームを前記第１ポジション値で固定すること、及び、ギア側駆動ロータシャフトに駆動ギアを取り付けること、を含んで構成されるルーツ式ブロワのロータ位置調整の方法。
概念２.
前記ブロワの吐出ポートへのガス流量を設定すること、所定速度で流れ順方向に前記駆動シャフトを回転させること、前記流路内のある位置における流れ圧力を計測すること、前記計測された流れ圧力におけるパルスの過渡的な振幅及び繰り返し数を、振幅についての第１合否基準及び繰り返し数についての第２合否基準と比較すること、及び両方の前記合否基準を満たすブロワに合格評価を与えること、をさらに含んで構成される概念１に記載のロータ位置調整の方法。
概念３．
前記圧力計測プロセスは、連続的なアナログ分解能又は所定のサンプルレートでのデジタルサンプリングをさらに含んで構成される概念２に記載のロータ位置調整の方法。
概念４.
両方の前記合否基準を満たさないブロワに一時的な不合格評価を与えること、前記駆動ギアを開放することと、前記ハウジングに対して前記従動ギアを固定すること、前記レバーアームを前記モータ側駆動ロータシャフトに取り付けること、前記ハウジング内で前記従動ロータに前記駆動ロータを接触させることによって規定される第１及び第２の移動限界まで前記レバーアームを移動させるために、交互方向に、前記レバーアームを回動させること、前記２つの移動限界間の前記レバーアームの前記変位を計測すること、前記計測された移動限界間の中央の変位値と代替基準補償値との和から成る代替のポジション値を形成すること、前記レバーアームを前記代替のポジション値で固定すること、前記ギア側駆動ロータシャフトに前記駆動ギアを取り付けること、前記ブロワの前記吐出ポートへの前記ガス流量を再設定すること、前回の速度で流れ順方向に前記駆動シャフトを回転させること、前回の方法で流れ圧力を計測すること、前記計測された流れ圧力におけるパルスの過渡的な振幅及び繰り返し数を、振幅についての第１合否基準及び繰り返し数についての第２合否基準と比較すること、及び、両方の前記合否基準を満たすブロワに合格評価を与えること、をさらに含んで構成される概念２に記載のロータ位置調整の方法。
概念５.
前記代替基準補償値は、先のいずれの基準補償値とも異なる概念４に記載のロータ位置調整の方法。
概念６．
所定の一連の代替基準補償値で概念３に記載の手順ステップを反復すること、及び、合格評価の獲得又は所定の一連の代替基準補償値の消尽から成る終了基準に到達した時点で、その手順の反復動作を停止させること、をさらに含んで構成され、前記手順の反復動作により、少なくとも１つの基準補償値での合格評価が獲得される概念４に記載のロータ位置調整の方法。
概念７．
代替基準補償値で概念３に記載の手順ステップを反復することをさらに含んで構成され、前回の値での前記手順の実行により、代替基準補償値に所定の大きさと極性を割り当てることと一致する特有の性質を有する不合格評価が与えられる概念４に記載のロータ位置調整の方法。
概念８．
代替基準補償値で概念３に記載の手順を反復すること、及び、所定量だけ前記従動ロータに対して前記駆動ロータを進める代替基準補償値を与えること、をさらに含んで構成され、前回の補償値での前記手順の実行により、より高い測定圧力が生じるほど駆動ロータのローブが係合し、他方、より低い測定圧力が生じるほど従動ロータのローブが係合しているような不合格評価を与えられる概念４に記載のロータ位置調整の方法。
概念９．
流れ圧力の測定に使用される各変換器の選択された１秒当りのサンプルレートが、ブロワの一秒当りの回転速度と、前記一対のロータのローブ合計数との積の２倍より小さくない概念２に記載のロータ位置調整の方法。
概念１０．
前記レバーアームの取り付けが、前記レバーアームのクランプ部を前記モータ側の駆動ロータシャフトの周りに締め付けることにより、前記レバーアームを前記駆動ロータシャフトに固定することをさらに含んで構成されること、及び、前記レバーアームの固定は、前記駆動ロータシャフトに固定される際に、結合された前記駆動ロータシャフト及び前記レバーアームの角度位置の変化に逆らって、前記レバーアームを可逆的に固定することをさらに含んで構成される、概念１に記載のロータ位置調整の方法。
概念１１．
前記レバーアームの固定は、少なくとも重力と、前記方法が実施される治具の構成部品として構成された任意のバネとにより、前記レバーアームの動きに十分に逆らえる力で、前記レバーアームの小面に接触するように、少なくとも１つの細かなピッチのネジを位置決めすることをさらに含んで構成される概念１０に記載のロータ位置調整の方法。
概念１２．
前記ブロワハウジングは、２つの重なり合うチャンバ領域がロータローブに略対応する内部容積の壁面を含み、前記チャンバを規定する各回転軸は、各ロータ軸と略一致し、前記組立てられたロータハウジングは、各ロータ端面に略共形の内部容積端面をさらに含み、各ロータ端面から突き出るロータシャフトは、前記各ハウジング内部容積壁面を貫通し、そしてアセンブリは、ロータに適用できるように選択される、分割されたベアリング、ベアリング保持具及びスペーサを使用してロータを浮かせる概念１に記載のロータ位置調整の方法。
概念１３．
角度設定ツールのベースと、該設定ツールのベースに連接取り付けされ、解除可能にブロワを前記設定ツールのベースに係合するように構成されたブロワクランプと、従動ギア係合アセンブリと、従動ギア係合アセンブリ回転固定具と、前記駆動シャフトに固定し、前記駆動シャフトに固定された場合には前記駆動シャフトの回転軸に対して略垂直に伸びるように構成されるブロワのモータ側駆動シャフト用角度検知レバーと、該角度検知レバーの変位範囲にわたって前記レバーの変位を検出して表示するように構成される角度検知レバー変位ゲージと、そして、該変位ゲージの検出範囲内の位置に、前記レバーを固定するように構成される角度検知レバー用固定具と、を含んで構成され、前記従動ギア係合アセンブリは、ブロワ従動ギアとの噛み合せのために構成され偏芯支持された従動ギア係合歯型を有し、前記ブロワ従動ギアと前記従動ギア係合アセンブリの構成部品との間の噛み合わせが十分可能な範囲にわたって回転するように構成され、前記従動ギア係合歯型は、前記アセンブリに対して回転可能に取り付けられることと、前記従動ギア係合アセンブリ回転固定具は、少なくとも前記従動ギア係合歯型が、前記従動ギアと噛み合わされる角度で前記従動ギア係合アセンブリの回動を固定するように構成される、ブロワの位置調整装置。
概念１４．
前記ベースに取り付けられる駆動ギア係合アセンブリと、前記駆動ギア係合アセンブリに対する駆動ギア係合歯型の回動を制限するように構成される止め具と、前記駆動ギア係合歯型に回転前負荷をかけ、これにより、前記ブロワ駆動ギアが、前記ブロワ従動ギアに対して、双方の間の遊びを、少なくとも一部は、十分な力で解消させるように構成されるトルクバネと、駆動ギア係合アセンブリ回転固定具と、をさらに含んで構成され、前記駆動ギア係合アセンブリは、前記ブロワ駆動ギアとの噛み合せのために構成され偏芯支持された駆動ギア係合歯型を有し、前記ブロワ駆動ギアと前記駆動ギア係合アセンブリの構成部品との間の噛み合わせが十分可能な範囲にわたって回動するように構成され、前記駆動ギア係合歯型は、ある範囲で前記ブロワ駆動ギアと噛み合って自由に回動でき、前記駆動ギア係合アセンブリ回転固定具は、前記駆動ギア係合歯型が、少なくとも前記駆動ギアと噛み合わされ、前記止め具で係止される角度で、前記駆動ギア係合アセンブリの回動を固定するように構成される、概念１３に記載のブロワの位置調整装置。
概念１５．
前記従動ギア噛み合わせアセンブリの前記角度設定ツールのベースへの取り付けのために構成される従動ギア係合アセンブリ架台と、ブロワロータ軸と平行で、前記従動ギア係合アセンブリ架台の支持孔内で回動するように構成されるシャフトと、該シャフトの、ギアに近い端部で該シャフトに偏芯して取り付けられ、ブロワの前記駆動ギアと略同一のらせん状ギアと、前記シャフトの、前記ギアから離れた端部で該シャフトに取り付けられるノブと、をさらに含んで構成される概念１３に記載のブロワの位置調整装置。
概念１６．
前記従動ギア係合アセンブリ回転固定具は、少なくとも１点で初めの直径が縮小可能となるように構成されて、支持孔に設けられる逃げと、固定ネジ回転により逃げの少なくとも一部を開閉することによって、前記従動ギア固定シャフトを結合及び開放するように構成される固定ネジと、をさらに含んで構成される、概念１３に記載のブロワの位置調整装置。
概念１７．
前記モータ側駆動シャフト用角度検知レバーは、前記モータ側駆動シャフトの略半径方向に、前記モータ側駆動シャフトに取り付けられるように構成されるアームと、選択された回動方向で、前記モータ側駆動シャフト用角度検知レバーを前記モータ側駆動シャフトに解除可能に結合させるように構成されるクランプと、前記モータ側駆動シャフト用角度検知レバーの外側にあって、前記レバーの前記ブロワに対する回転固定位置を定めるように構成された保持部品に接触が可能なレバー固定部と、そして、前記駆動ロータシャフトの略半径方向での、前記駆動ロータシャフト軸からの選択距離に前記アームに対して固定される基準面と、をさらに含んで構成され、前記基準面は、前記駆動シャフトに固定された前記角度検知レバーがそれとともに回動すると、回動経路をたどる、概念１３に記載のブロワの位置調整装置。
概念１８．
前記レバーの外側にあり、基準面の位置のある範囲に渡って、前記基準面の検出が可能となるように構成される変位ゲージをさらに含んで構成される概念１７に記載のブロワの位置調整装置。
概念１９．
前記変位ゲージは、測定の所定の形式、分解能、再現性、及び線形性により位置変化を示すように構成される測定ゲージと、前記ベースに取り付けられ、前記基準面の回動経路と略接して前記ゲージの配向を維持するゲージホルダーと、をさらに含んで構成される概念１８に記載のブロワの位置調整装置。
概念２０．
ブロワの位置調整装置であって、動力付きブロワシャフト駆動部と、前記ブロワシャフト駆動部と前記ブロワ間の連結器と、前記ブロワ吐出ポートに連結される第１圧力のテストガス源と、ブロワ吸入ポートに連結される、前記第１圧力より低い第２圧力のテストガス接続先と、ガス圧形式の入力に比例する電気形式の出力を含んで構成されるガス圧力変換器と、圧力変換器出力を時間関数の圧力表示に変換するように構成されるデータ取得システムと、そして、所定の流量におけるテストガスフローと所定の速度における回転に従うブロワの合否基準と、をさらに含んで構成され、前記ガス圧力変換器へのガス圧入力は、前記テストガス源から前記ブロワを通じ前記テストガス接続先までの流路におけるブロワリークバックに比例するガス圧力を示すポイントからガス圧力変換器へ接続される、概念１９に記載のブロワの位置調整装置。
概念２１．
確認テスト装置取り付けベースと、前記動力付きブロワシャフト駆動部と前記テストベースとの間の取り付け具と、そして、前記テストベースに取り付けられ、解除可能にブロワを前記テストベースに係合するように構成されたブロワクランプと、をさらに含んで構成される概念２０に記載のブロワの位置調整装置。
概念２２．
モータ駆動速度コントローラと、そして、モータ駆動速度検出器と、をさらに含んで構成される概念２０に記載のブロワの位置調整装置。
概念２３．
駆動ロータと従動ロータは双方を連結する結合ギアを有し、前記従動ギアは略動かせない構成で前記従動ロータに取り付けられる、駆動ロータと従動ロータを前記ハウジング内で構成する手段と、前記ハウジングに対して前記従動ギアを固定する手段と、第１圧接方向に回転力を加えた結果生じる前記ロータ間の接触によって規定される第１回転端における前記駆動ロータの角度位置を測定し、そして、第２反対圧接方向に回転力を加えた結果生じるロータ間の接触によって規定される第２回転端における前記駆動ロータの角度位置を測定する手段と、前記駆動ロータが自由に回動可能な角度位置の範囲を決定する手段と、前記ハウジングに対して前記駆動ロータを、前記角度範囲の中央点に予め決められた補償オフセットを加えた点である角度位置において固定する手段と、そして、前記駆動ロータに対して前記駆動ギアを固定する手段と、を含んで構成されるルーツ式ブロワ用位置調整装置。
概念２４．
ブロワの吸入ポートと異なるガス圧をブロワの吐出ポートに加える手段と、ブロワの吸入ポートから吐出ポートまでガスを進める方向にブロワの駆動シャフトを回転させる手段と、前記ブロワの前記吐出ポートから前記吸入ポートまでのガス流路内のある位置においてガス圧の変動を検出する手段と、そして、ガス圧力の前記変動におけるパターンから、ブロワが正確に位置調整されているか否かを決定する手段と、をさらに含んで構成される概念２３に記載のブロワの位置調整装置。